(57)【特許請求の範囲】
【請求項１】
測定対象から放射される放射線を検出する放射線検出部と、
放射線検出部から出力される検出信号を信号処理する信号処理部と、
信号処理によって得られる測定結果を表示する測定結果表示部と、
放射線検出部を所定速度で移動させるためのガイド表示を行う移動ガイド表示部と、
を有する、
ことを特徴とする放射線測定装置。
【請求項２】
請求項１に記載の放射線測定装置において、
前記移動ガイド表示部は、前記ガイド表示として、前記放射線検出部を移動させる速度に応じた速度でマーカを移動する表示を行う、
ことを特徴とする放射線測定装置。
【請求項３】
請求項１に記載の放射線測定装置において、
前記移動ガイド表示部は、複数の発光素子からなる発光素子列を備え、前記ガイド表示として、前記放射線検出部を移動させる速度に応じた点灯移動速度で発光素子列に含まれる各発光素子を順次点灯させる、
ことを特徴とする放射線測定装置。
【請求項４】
測定対象から放射される放射線を検出して検出信号を出力する放射線プローブと、
検出信号を信号処理してそれによって得られる測定結果を表示する装置本体と、
を有する放射線測定装置であって、
前記放射線プローブは、測定対象の表面に沿って当該放射線プローブを所定速度で移動させるためのガイド表示を行う発光素子列を備え、
前記発光素子列は、前記放射線プローブの移動方向に沿って配列される複数の発光素子で構成され、
前記放射線プローブを移動させる速度に応じた点灯移動速度で発光素子列に含まれる各発光素子を順次点灯させる、
ことを特徴とする放射線測定装置。
【請求項５】
請求項４に記載の放射線測定装置において、
前記放射線プローブは、当該放射線プローブの移動方向の反転を検知するセンサを備え、
前記センサによって放射線プローブの移動方向の反転が検知されると、前記発光素子列の点灯移動方向を反転させる、
ことを特徴とする放射線測定装置。
【発明の詳細な説明】
【技術分野】
【０００１】
本発明は、放射線測定装置に関し、特に、放射線検出部を移動させながら放射線を検出する放射線測定装置に関する。
【背景技術】
【０００２】
原子力発電所内などで発生する廃棄物などを所外に持ち出すためには、その廃棄物などの表面汚染密度の程度を測定し、所定の値以下であることを実測確認する必要がある。
【０００３】
その目的のために利用される放射線測定装置として、可搬型ベータ線用のサーベイメータが知られている（特許文献１，２参照）。
【０００４】
このようなサーベイメータは、放射線検出部を備えた放射線プローブと、放射線プローブが接続される装置本体とによって構成されている。そして、放射線プローブを被測定物に近づけて被測定物に対して放射線プローブを動かしながら、つまり、被測定物に放射線検出部を近づけて被測定物に対して放射線検出部を移動させながら、表面汚染密度の程度の測定を行うことがある。
【０００５】
【特許文献１】特開２００１−２１５２７８号公報
【特許文献２】特許第３４２０１１９号公報
【発明の開示】
【発明が解決しようとする課題】
【０００６】
サーベイメータによって表面汚染密度の程度を正確に測定するためには、放射線検出部と被測定物との距離や放射線検出部を移動させる速度などを予め定められた測定条件に適合させなければならない。例えば距離や速度を一定に保った状態で測定する必要がある。
【０００７】
そのため、従来においては、放射線検出部を備えた放射線プローブと被測定物との距離や放射線プローブを移動させる速度を一定に保った状態で測定が実施されるように、例えば測定作業者に対して測定のためのトレーニングを行っていた。
【０００８】
しかしながら、測定作業者に対するトレーニングのみでは、特に放射線検出部の移動速度を一定に保つことは困難な場合が多い。
【０００９】
本発明は、このような背景において成されたものであり、その目的は、放射線検出部を所定速度で移動させるための機能を提供することにある。
【課題を解決するための手段】
【００１０】
上記目的を達成するために、本発明の好適な態様である放射線測定装置は、測定対象から放射される放射線を検出する放射線検出部と、放射線検出部から出力される検出信号を信号処理する信号処理部と、信号処理によって得られる測定結果を表示する測定結果表示部と、放射線検出部を所定速度で移動させるためのガイド表示を行う移動ガイド表示部と、を有することを特徴とする。
【００１１】
望ましい態様において、前記移動ガイド表示部は、前記ガイド表示として、前記放射線検出部を移動させる速度に応じた速度でマーカを移動する表示を行うことを特徴とする。望ましい態様において、前記移動ガイド表示部は、複数の発光素子からなる発光素子列を備え、前記ガイド表示として、前記放射線検出部を移動させる速度に応じた点灯移動速度で発光素子列に含まれる各発光素子を順次点灯させることを特徴とする。
【００１２】
上記態様において、移動ガイド表示部は、例えば、ＬＥＤ（light-emitting diode）やＬＣＤ（liquid crystal display）などで構成される。つまり、例えば、ＬＥＤなどの複数の発光素子からなる発光素子列に含まれる各発光素子を、放射線検出部の移動速度に応じた点灯移動速度で順次点灯させる。そして、測定作業者が、順次点灯される発光素子をマーカとしてそのマーカの移動速度に合わせて放射線検出部を移動することにより、放射線検出部を所定速度で移動させるようにする。また、ＬＣＤにマーカとなる点や矢印などを表示させ、放射線検出部の移動速度に応じた速度で点や矢印などのマーカをＬＣＤ上で移動表示させてもよい。
【００１３】
また上記目的を達成するために、本発明の好適な態様である放射線測定装置は、測定対象から放射される放射線を検出して検出信号を出力する放射線プローブと、検出信号を信号処理してそれによって得られる測定結果を表示する装置本体と、を有する放射線測定装置であって、前記放射線プローブは、測定対象の表面に沿って当該放射線プローブを所定速度で移動させるためのガイド表示を行う発光素子列を備え、前記発光素子列は、前記放射線プローブの移動方向に沿って配列される複数の発光素子で構成され、前記放射線プローブを移動させる速度に応じた点灯移動速度で発光素子列に含まれる各発光素子を順次点灯させる、ことを特徴とする。
【００１４】
望ましい態様において、前記放射線プローブは、当該放射線プローブの移動方向の反転を検知するセンサを備え、前記センサによって放射線プローブの移動方向の反転が検知されると、前記発光素子列の点灯移動方向を反転させる、ことを特徴とする。
【発明の効果】
【００１５】
本発明により、放射線検出部を所定速度で移動させることが可能になる。
【発明を実施するための最良の形態】
【００１６】
以下、本発明の好適な実施形態を図面に基づいて説明する。
【００１７】
図１には、本発明に係る放射線測定装置の好適な実施形態が示されており、図１は、放射線測定装置であるサーベイメータの構成を示す斜視図である。
【００１８】
本実施形態のサーベイメータは、ＧＭ管やシンチレーション検出器などの放射線検出器を内蔵したプローブ２０と、測定値算出のための信号処理・演算回路やメータ表示部１２を備えた本体１０とから構成される。プローブ２０は、ケーブル３０により本体１０に接続され、検出信号を本体１０の信号処理回路系に供給する。本体１０は、信号処理・演算回路やメータ表示部１２を収容した本体主部１６と、ユーザが把持する取手１４とから構成される。取手１４は本体主部１６の上面、すなわちメータ表示部１２のある面に取り付けられており、取手１４を持ったときにユーザからメータ表示部１２が見やすくなっている。ユーザは、一方の手で本体１０の取手１４を持ち、もう一方の手でプローブ２０を持ってその検出面２２を測定対象に向けて測定を行う。
【００１９】
保管時や持ち運び時の便宜のために、プローブ２０は本体１０に装着可能となっている。すなわち、図１に示すように、本体１０の取手１４の上面には溝部１４ａが形成され、この溝部１４ａには、スライドホルダ１４ｂがはめ込み固定されている。そして、プローブ２０には、取手１４のスライドホルダ１４ｂに摺動係合するスライダ２４が取付固定されている。このスライダ２４をスライドホルダ１４ｂに挿入することにより、プローブ２０を本体１０に装着することができる。
【００２０】
本実施形態のサーベイメータの測定対象は、例えば、床やかべなどである。測定対象は、原子力発電所内などで発生する廃棄物や、原子力発電所内などで作業する作業員の衣服などであってもよい。本実施形態のサーベイメータを利用して放射線を測定する際、ユーザ（測定作業者）は、プローブ２０を持ってその検出面２２を測定対象に向けて、プローブ２０を測定対象に対して移動させながら、測定対象から放射される放射線を検出する。
【００２１】
放射線を正確に測定するためには、ユーザは、プローブ２０と測定対象との距離や、プローブ２０を移動させる速度などを予め定められた測定条件に適合させなけらばならない。例えば、プローブ２０を動かす速度が速すぎると、プローブ２０によって放射線が十分に検出されないまま測定が行われてしまい、実際に放射されている放射線量よりも低い測定結果が得られる場合もある。そのため、測定規格などに定められた所定速度でプローブ２０を移動させることが必要になる。
【００２２】
そこで、本実施形態のサーベイメータでは、所定速度でプローブ２０を移動させるガイド機能を実現するため、プローブ２０に複数のＬＥＤ２６が設けられている。ＬＥＤ２６は、検出面２２の裏側に設けられている。つまり、検出面２２を測定対象に向けた際にＬＥＤ２６がユーザ側に向けられ、ユーザがＬＥＤ２６の点灯状態を確認することができる。なお、複数のＬＥＤ２６は、例えば、５ｍｍの一定間隔で１１個が一列に配置される。そして、後に図３などを利用して詳述するように、ＬＥＤ２６の点灯状態から、ユーザがプローブ２０を所定の速度で移動させることが容易になる。
【００２３】
図２は、本実施形態のサーベイメータの内部構成を示すブロック図である。プローブ２０に設けられたシンチレータ２０２、光電子増倍管２０４、ブリーダ２０６によって放射線が検出される。シンチレータ２０２は、放射線と相互作用をすることにより、その放射線が失ったエネルギーに比例した強度の光子を放出する。この発光現象はシンチレーションと呼ばれている。光電子増倍管２０４は、シンチレータ２０２におけるシンチレーション光を検出する。ブリーダ２０６は、光電子増倍管２０４に電極間電圧を印加するための回路であり、例えば、抵抗を直列に繋いだ電圧分圧回路などによって構成される。シンチレータ２０２、光電子増倍管２０４およびブリーダ２０６で構成される放射線検出部によって放射線が検出されると、検出信号が本体１０へ出力される。
【００２４】
また、プローブ２０には、複数のＬＥＤ２６と各ＬＥＤ２６を順次点灯させるためのシフトレジスタ２１２が設けられている。シフトレジスタ２１２は、クロック発生回路２０８から出力されるクロック信号に基づいて各ＬＥＤ２６を順次点灯させる。例えばクロック信号のパルスの立ち上がりタイミングに応じて、一列に配列された複数のＬＥＤ２６の一方端から他方端に向かって各ＬＥＤ２６を順次点灯させる。なお、ＬＥＤ２６の点灯時間間隔や点灯方向は、クロック発生回路２０８のクロック信号に応じて制御される。
【００２５】
さらに、プローブ２０には、加速度センサ２１０が設けられている。加速度センサ２１０は、プローブ２０の加速度を検出することにより、加速度の変化から、プローブ２０の移動方向が反転するタイミングを検出する。
【００２６】
本体１０に設けられた放射線計数部１１０は、プローブ２０から出力される放射線の検出信号に含まれるパルスを計数し、それによって得られる測定結果をメータ表示部１１２のメータに反映させる。測定結果は、例えば単位「Ｂｑ／ｃｍ２（Ｂｑ：ベクレル）」でメータに示される。
【００２７】
ＬＥＤ制御回路１０６は、プローブ２０のクロック発生回路２０８を制御して、ＬＥＤ２６の点灯時間間隔や点灯方向を制御する。なお、点灯方向は、プローブ２０の加速度センサ２１０によって検出されるプローブ２０の移動方向の反転タイミングに基づいて変更される。
【００２８】
ユーザは、操作スイッチ１０２を介して、本実施形態のサーベイメータの各種装置設定を行うことができる。制御部１０４は、その設定状態などに応じてサーベイメータ内の各部を制御する。ユーザは、操作スイッチ１０２を介して、例えば、装置の時定数を設定する。一般に、サーベイメータは、汚染箇所を探す（サーベイ）場合には、測定値の正確さよりも測定の迅速さが重要であると考え、このような場合には、時定数を短くして測定を行う。一方、探し当てた汚染箇所の汚染の程度を測定する場合には、迅速さよりもある程度の正確さが必要であると考え、このような場合には、時定数を長くして測定を行う。
【００２９】
制御部１０４は、時定数などの設定情報に応じて、ＬＥＤ制御回路１０６や放射線計数部１１０を制御する。例えば、時定数が長い場合には、プローブ２０を動かす速度を小さくする必要があるため、時定数に応じた速度でプローブ２０をガイドするように、ＬＥＤ制御回路１０６を制御する。
【００３０】
図３は、本実施形態のガイド表示機能を説明するための図である。図３には、各時刻ごとに、プローブ２０の先端部、つまりプローブ２０のＬＥＤ２６が設けられている部分（図１参照）が示されている。図３は、ユーザによってプローブ２０が右方向に移動されていく様子を示している。
【００３１】
まず、時刻ｔ１において、プローブ２０に設けられた複数のＬＥＤ２６のうちの右端のＬＥＤ２６が点灯する。この際ユーザは、右端のＬＥＤ２６の位置に存在する測定対象上の目印５０を見つける。目印５０は、例えば、測定対象物の傷や色や模様などである。
【００３２】
図２を利用して説明したように、複数のＬＥＤ２６は、シフトレジスタ２１２やクロック発生回路２０８を介して、ＬＥＤ制御回路１０６によって制御される。そして、プローブ２０を移動させる速度に応じた点灯移動速度で、一方端から他方端に向かって各ＬＥＤ２６が順次点灯される。
【００３３】
図３は、右端から左端に向かって各ＬＥＤ２６が順次点灯する様子を示している。つまり、時刻ｔ１において右端のＬＥＤ２６が点灯された後、時刻ｔ２（例えば時刻ｔ１から１秒後）において一つ左隣のＬＥＤ２６が点灯する。その際、ユーザは、新たに点灯したＬＥＤ２６の位置と目印５０の位置が同じになるように、プローブ２０を右方向に移動させる。そして、時刻ｔ３においてさらに一つ左隣のＬＥＤ２６が点灯し、ユーザは、新たに点灯したＬＥＤ２６の位置と目印５０の位置が同じになるように、プローブ２０を右方向に移動させる。
【００３４】
このように、右端から左端に向かって各ＬＥＤ２６が順次点灯し、ユーザが順次点灯するＬＥＤ２６の位置と目印５０の位置が同じになるようにプローブ２０を移動させることにより、ＬＥＤ２６の点灯移動速度でプローブ２０が移動される。そのため、測定規格などによって予め定められたプローブ２０の移動速度でＬＥＤ２６を順次点灯させることにより、予め定められた移動速度でプローブ２０を移動させるためのガイドとなる。
【００３５】
なお、右端から左端に向かって各ＬＥＤ２６が順次点灯して左端のＬＥＤ２６が点灯した後、つまり図３における時刻ｔ５において、再び右端のＬＥＤ２６が点灯され、ユーザは、右端のＬＥＤ２６の位置に存在する別の目印５２を見つける。
【００３６】
再び右端のＬＥＤ２６が点灯された後も、左端に向かって各ＬＥＤ２６が順次点灯し、ユーザは順次点灯するＬＥＤ２６の位置と、新しい目印５２の位置が同じになるようにプローブ２０を右方向へ移動させる。こうして、時刻ｔ６以降においても、右端から左端に向かって各ＬＥＤ２６の点灯が繰り返され、ユーザが繰り返し点灯が行われるごとに新しい目印を見つけることにより、プローブ２０が所定の速度で右側に向かって移動される。
【００３７】
ちなみに、左端のＬＥＤ２６から右端のＬＥＤ２６に点灯が切り替わるタイミング、つまり時刻ｔ５では、左右両端のＬＥＤ２６を共に点灯させて、ユーザに切り替わりのタイミングであることを知らせるようにしてもよい。また、時刻ｔ５においてＬＥＤ２６を点滅させるようにしてもよい。
【００３８】
さらに、本実施形態では、プローブ２０の移動方向が反転された場合に、ＬＥＤ２６の点灯移動方向が切り替えられる。
【００３９】
図４は、放射線測定の際のプローブの移動を説明するための図である。図４には、床や壁などの被測定物（測定対象）６０の表面に沿ってプローブを移動させる際の移動方向が実線矢印で示されている。
【００４０】
図４（Ａ）では、被測定物６０の左側から右側に向かって実線矢印に従ってプローブが移動され、そして、プローブが右端に到達した後に左端に戻されてから、再び左側から右側に向かって実線矢印に従ってプローブが移動されている。この場合、プローブが常に左側から右側に向かって移動されて放射線が測定されている。したがって、図３を利用して説明したように、ＬＥＤ２６を右端から左端に繰り返し移動点灯させることにより、プローブを所定の速度で移動させることができる。
【００４１】
一方、図４（Ｂ）では、被測定物６０の左側から右側に向かって実線矢印に従ってプローブが移動され、プローブが右端に到達した後に、今度は右側から左側に向かって実線矢印に従ってプローブが移動される。そして、さらに左側から右側に向かってプローブが移動される。つまり、図４（Ｂ）の場合には、プローブの移動方向が反転されて放射線が測定されている。
【００４２】
そこで、本実施形態のサーベイメータでは、プローブに内蔵された加速度センサ（図２の符号２１０）によって、プローブの加速度を検出することにより、加速度の変化から、プローブの移動方向が反転するタイミングを検出している。そして、ＬＥＤ制御回路（図２の符号１０６）は検出されたタイミングで、ＬＥＤの点灯移動方向を切り替えている。
【００４３】
つまり、プローブが左側から右側に向かって移動されている際には、ＬＥＤを右端から左端へ繰り返し点灯移動させ、プローブの移動方向が反転されてプローブが右側から左側に向かって移動される際には、ＬＥＤを左端から右端へ繰り返し点灯移動させる。これにより、プローブが右側から左側に向かって移動される場合においても、図３を利用して説明した原理を利用して、但しその移動方向（左右）を反転させて、プローブを所定の速度で移動させることができる。
【００４４】
以上、本発明の好適な実施形態を説明したが、上述した実施形態は、あらゆる点で単なる例示にすぎず、本発明の範囲を限定するものではない。
【図面の簡単な説明】
【００４５】
【図１】本発明に係るサーベイメータの全体構成を示す斜視図である。
【図２】本発明に係るサーベイメータの内部構成を示すブロック図である。
【図３】ガイド表示機能を説明するための図である。
【図４】放射線測定の際のプローブの移動を説明するための図である。
【符号の説明】
【００４６】
２０  プローブ、２６  ＬＥＤ、１０６  ＬＥＤ制御回路、２１０  加速度センサ。
【図１】
0004443507.tif 000002
【図２】
0004443507.tif 000003
【図３】
0004443507.tif 000004
【図４】
0004443507.tif 000005